(57)【特許請求の範囲】
【請求項１】
帳票が処理業務の変更を指示する仕切帳票であるのか否かを検出する仕切帳票処理部と、前記仕切帳票処理部が仕切帳票を検出した場合に、処理業務を変更する制御部とを有する光学装置であって、
前記仕切帳票処理部は仕切帳票の挿入方向を特定でき、前記制御部は、前記仕切帳票処理部により特定された仕切帳票の挿入方向に基づいて処理業務を選択的に変更または一般帳票の読取方向を選択的に変更することができ、複数の仕切帳票を連続して読み取った場合に、処理業務を、これら仕切帳票が指示する複数の業務を複合した内容に変更することを特徴とする光学装置。
【発明の詳細な説明】
【０００１】
【発明の属する技術分野】
本発明は、帳票に照射した光の反射によって帳票に記された文字を読み取る光学式文字読取装置や、イメージリーダ、複写機などの光学装置に関する。
【０００２】
【従来の技術】
例えば、光学式文字読取装置（以下、ＯＣＲという）において、処理業務の変更は以下のようにして行なっていた。
１．ＯＣＲは処理業務を人手でよって指示される業務形態に変更する。
２．ＯＣＲは帳票に記されているＩＤ番号を識別して、処理業務をＩＤ番号に基づく業務形態に変更する。
３．ＯＣＲは帳票のレイアウトを識別して、処理業務をレイアウトに基づく業務形態に変更する。
４．ＯＣＲは帳票の記入事項を識別して、処理業務を記入事項に基づく業務形態に変更する。
５．ＯＣＲは処理業務を上位アプリケーションによって指示される業務形態に変更する。
【０００３】
【発明が解決しようとする課題】
例えば記入内容が同様の同一帳票を用いて異なる処理業務を行なう場合に、従来技術は、簡易に処理業務を変更することができないため、オペレータが上位アプリケーションを変更しなければならなかった。したがって、従来技術は、オペレータが介在しなければならない作業が多数あるとともに、処理業務を中断しなければならないので、処理速度が低下し、作業コストがアップするという問題があった。
【０００４】
本発明は、上記の問題を解決し、簡易に処理業務を変更できる光学装置を提供することを目的とする。
【０００５】
【課題を解決するための手段】
上記課題を解決するために、第１の発明に係る光学装置は、帳票が処理業務の変更を指示する仕切帳票であるのか否かを検出する仕切帳票処理部と、前記仕切帳票処理部が仕切り帳票を検出した場合に、処理業務を変更する制御部とを有することを特徴とする。
【０００６】
また、第２の発明に係る光学装置は、第１の発明に対して、前記仕切帳票処理部は、帳票に記された黒ブロックの数に基づいて帳票が仕切帳票であるのか否かを判別することを特徴とする。
【０００７】
また、第３の発明に係る光学装置は、第１の発明に対して、前記仕切帳票処理部は、帳票上の複数の位置に対して、帳票が仕切帳票であることを示す仕切マークが存在するのか否かを検出できることを特徴とする。
【０００８】
また、第４の発明に係る光学装置は、第１の発明に対して、前記仕切帳票処理部は、帳票の幅と帳票に記された黒点の数の比によって帳票が仕切帳票であるのか否かを判別することを特徴とする。
【０００９】
また、第５の発明に係る光学装置は、第１の発明に対して、前記仕切帳票処理部は、帳票が仕切帳票であることを示す複数の仕切マークが帳票上の複数の位置に存在することを検出した場合に、これら複数の仕切マークの黒点の数の比に基づいて帳票のエッジを算出できることを特徴とする。
【００１０】
また、第６の発明に係る光学装置は、第１の発明に対して、前記仕切帳票処理部は、帳票が仕切帳票であることを示す仕切マークの種類を特定でき、前記制御部は、前記仕切帳票処理部により特定された仕切マークの種類に基づいて処理業務を選択的に変更することを特徴とする。
【００１１】
また、第７の発明に係る光学装置は、第１の発明に対して、前記仕切帳票処理部は仕切帳票の挿入方向を特定でき、前記制御部は、前記仕切帳票処理部により特定された仕切帳票の挿入方向に基づいて処理業務を選択的に変更することを特徴とする。
【００１２】
また、第８の発明に係る光学装置は、第１の発明に対して、前記仕切帳票処理部は仕切帳票の挿入方向を特定でき、前記制御部は、前記仕切帳票処理部により特定された仕切帳票の挿入方向に基づいて一般帳票の読取方向を選択的に変更することを特徴とする。
【００１３】
また、第９の発明に係る光学装置は、第１の発明に対して、前記仕切帳票処理部は仕切帳票の挿入方向を特定でき、前記制御部は、前記仕切帳票処理部により特定された仕切帳票の挿入方向に基づいて処理業務を選択的に変更または一般帳票の読取方向を選択的に変更することができ、複数の仕切帳票を連続して読み取った場合に、処理業務を、これら仕切帳票が指示する複数の業務を複合した内容に変更することを特徴とする。
【００１４】
【発明の実施の形態】
以下、図面を参照して本発明の実施の形態を説明する。なお、各図はこの発明を理解できる程度に概略的に示してあるにすぎない。また、各図において、共通する要素については、同一の番号を付し、説明を省略する。
【００１５】
（第１の実施例）
図１は本発明に係るＯＣＲの構成を示すブロック図であり、図１中、１はＯＣＲである。２は帳票に光を照射してその反射を検出し、帳票に記された文字のイメージを読み取るスキャナ部である。このスキャナ部２は、複数の帳票が集積される集積部（図示せず）と排出部（図示せず）を有しており、集積部に集積された帳票を順次繰り出してはイメージを読み取り、イメージを読み取った帳票を排出部に排出する。３は帳票のイメージを記録するイメージメモリである。４は帳票の大きさや各辺の位置を検出する辺検出部である。５は仕切帳票か一般帳票かを判別する仕切帳票処理部である。６は仕切帳票に記された後述の仕切マークを検出する仕切マーク認識部である。７は処理業務に沿って帳票のイメージをブロック毎に切り分ける前処理部である。８はブロック毎に文字種を特定して文字を認識する文字認識部である。９は文書を先頭から順に単語単位に区切り、各単語を単語辞書と照合して誤認識した文字を修正する後処理部である。１０は、外部に信号を出力する出力部である。
【００１６】
ＯＣＲ１の帳票を読み取る動作は以下の通りである。
まず、オペレータは、事前に、文字読取の対象となる帳票（以下、このような帳票を特に一般帳票という）の間に、処理業務を変更すべき時点に合わせて処理業務の変更を指示する帳票（以下、このような帳票を特に仕切り帳票という）を挿入して、スキャナ部２の図示しない集積部に集積する。そして、ＯＣＲ１を稼動させてこれらの帳票を読み取らせる。
【００１７】
ＯＣＲ１は図示しない上位アプリケーションと接続されており、その上位アプリケーションのプログラムにはＯＣＲ１の処理業務をどのような形態に変更するのかが予め登録されている。ＯＣＲ１は、スキャナ部２によって帳票のイメージを読み取り、そのイメージをイメージメモリ３に記録する。図２はイメージメモリ３に記録された帳票のイメージを示す図である。図２中、１１はイメージメモリ３に記録されたイメージメモリ画像であり、１２は仕切帳票、１３は仕切マークである。また、図２中、座標（０，０）はイメージメモリ画像１１の座標の始点であり、座標（Ｘ0，Ｙ0）と座標（Ｘ1，Ｙ1）と座標（Ｘ2，Ｙ2）は仕切帳票１２の角であり、Ｙａは仕切帳票１２の上辺から仕切マーク１３までの距離である。
【００１８】
辺検出部４はイメージメモリ３に記録された帳票のイメージに基づいて帳票の大きさや各辺の位置を検出する。そして、仕切帳票処理部５が辺検出部４によって検出された帳票の大きさや各辺の位置に基づいて以下のようにして仕切マークの有無を検出する。すなわち、仕切マーク認識部６は、イメージメモリ画像１１の座標（Ｘ0，Ｙ0＋Ｙa）から座標（Ｘ1，Ｙ1＋Ｙa）までの黒点の数ＢＬ1をカウントし、この黒点の数ＢＬ1と帳票幅Ｗ1（すなわちＸ1−Ｘ0の値）に基づいて黒点比Ｂ（すなわちＢＬ1／Ｗ1の値）を算出する。そして、黒点比ＢがＭ−α＜Ｂ＜Ｍ＋α（Ｍは帳票が仕切帳票と見なす黒点比であり、αは仕切判定のマージンである）を満たす場合に仕切マーク有りと判別し、満たさない場合に仕切マーク無しと判別する。
【００１９】
仕切マーク認識部６が仕切マーク有りと判別した場合、仕切帳票処理部５は、帳票が仕切帳票である旨を出力部１０を介して図示しない上位アプリケーションに出力する。上位アプリケーションはＯＣＲ１の処理業務を予め登録された業務形態に変更させる。そして、ＯＣＲ１の前処理部７、文字認識部８、後処理部９がそれ以降の帳票を変更した業務形態に沿って読み取るようになる。
【００２０】
仕切マーク認識部６が仕切マーク無しと判別した場合、前処理部７、文字認識部８、後処理部９が従前通りの処理業務に沿って帳票を読み取り、文字認識した結果を出力部１０を介して図示しない上位アプリケーションに出力する。
【００２１】
本実施例は、このようにして簡易に処理業務を変更できる。そのため、オペレータが介在しなければならない作業が少なく、また処理業務を中断しなくてもよいので、処理速度が上昇し、作業コストを抑えることができる。
【００２２】
（第２の実施例）
第２の実施例は、第１の実施例に対して、仕切マークの構成を図３のように変更するとともに、仕切マーク認識部６は黒ブロックの数に基づいて仕切マークを検出するようにしたものである。図３はイメージメモリ３に記録された帳票のイメージを示す図であり、図３（ａ）は帳票の上辺周辺を示し、図３（ｂ）は仕切マーク周辺を拡大して示している。図３中、１４は仕切帳票、１５は仕切マークである。また、図３中、座標（Ｘ0，Ｙ0）と座標（Ｘ1，Ｙ1）は仕切帳票１４の角であり、Ｙaは仕切帳票１４の上辺から仕切マーク１５までの距離、Ｗ11は連続する黒点の長さ、Ｗ21は隣接するブロックとの距離である。
【００２３】
仕切マーク認識部６は、イメージメモリ画像１１の座標（Ｘ0，Ｙ0＋Ｙa）から座標（Ｘ1，Ｙ1＋Ｙa）までの黒ブロック（黒点が所定の長さ以上連続するブロック）の数をカウントする。なお、ここでは、連続する黒点の長さＷ11が予め定められた基準値ＷBよりも大きいブロック（すなわちＷ11＞ＷBとなるブロック）で、かつ隣接するブロックとの距離Ｗ21が予め定められた基準値ＷWよりも離れているブロック（すなわちＷ21＞ＷWとなるブロック）を黒ブロックとし、これにより文字等を黒ブロックとしてカウントしないようにする。そして、黒ブロックの数が予め定められた数（この実施例では４つ）以上ある場合に仕切マーク有りと判別し、ない場合に仕切マーク無しと判別する。
【００２４】
本実施例は、ブロックの数を仕切マークの有無の判定条件としているので、仕切帳票を一般帳票と誤認するのを低減できる。また、第１の実施例では仕切マークが存在していてもＭ−α＜Ｂ＜Ｍ＋αを満たしていなければ仕切マークを見落とすことになるが、本実施例ではこのような場合も見落とさない。そのため、第１の実施例よりも仕切マークを見落とす確率を低減できる。
【００２５】
（第３の実施例）
第３の実施例は、第１の実施例に対して、仕切マークの構成を図４のように変更したものである。図４はイメージメモリ３に記録された帳票のイメージを示す図である。図４中、１６は仕切帳票であり、１７と１８は仕切マークである。また、Ｙaは仕切帳票１６の上辺から上側の仕切マーク１７までの距離であり、Ｙｂは仕切帳票１６の上辺から下側の仕切マーク１８までの距離、Ｗ40は帳票１６の幅、Ｗ41は仕切マーク１７の幅、Ｗ42は仕切マーク１８の幅である。
【００２６】
仕切マーク認識部６は、予め定められた仕切マーク１７と１８が存在する領域（すなわち仕切帳票１６の上辺から距離Ｙaの位置又は距離Ｙbの位置）の黒点比Ｂ1（すなわちＷ41／Ｗ40）とＢ2（すなわちＷ42／Ｗ40）を算出する。そして、黒点比Ｂ1とＢ2がＭ−α＜Ｂ1＜Ｍ＋α及びＭ−α＜Ｂ2＜Ｍ＋α（Ｍは帳票が仕切帳票と見なす黒点比であり、αは仕切判定のマージンである）を満たす場合に仕切マーク有りと判別し、満たさない場合に仕切マーク無しと判別する。
【００２７】
なお、この実施例は、仕切マークが２つとも検出された場合に帳票が仕切帳票であると判別するようにしたが、仕切マークがいずれか１つ検出された場合に帳票が仕切帳票であると判別するようにすることも可能である。
【００２８】
本実施例は、複数の位置で仕切マークの有無をチェックしているので、仕切帳票を一般帳票と誤認するのを第１の実施例よりも低減できる。
【００２９】
（第４の実施例）
第４の実施例は、第３の実施例に対して、仕切マークの構成を図５のように変更したものである。この実施例はＦＡＸ−ＯＣＲのように帳票のエッジが判別できない装置に有効であるので、以下の説明は帳票のエッジが検出されていない場合を例にして述べる。図５はイメージメモリ３に記録された帳票のイメージを示す図である。図５中、１９はイメージメモリ３に記録されたイメージメモリ画像であり、２０は仕切帳票、２１と２２は仕切マークである。また、図５中、ＹCは仕切マーク２１と２２の距離であり、Ｗ50は帳票２０の幅、Ｗ51は仕切マーク２１の幅、Ｗ52は仕切マーク２２の幅である。なお、仕切マーク２１の幅Ｗ51は、帳票２０の幅Ｗ50に対して予め定められた比率Ｌをかけ合わせた大きさとなっている。また、距離Ｙcは、仕切帳票２０の上辺から仕切マーク２１までの距離に対して予め定められた比率Ｍを掛け合わせた大きさとなっている。
【００３０】
仕切マーク認識部６は、仕切マーク２２に対する仕切マーク２１の黒点比Ｂ3（すなわちＷ51／Ｗ52）を算出する。そして、黒点比Ｂ3がＭ2−α＜Ｂ3＜Ｍ2＋α（Ｍ2は帳票が仕切帳票と見なす黒点比であり、αは仕切判定のマージンである）を満たす場合に仕切マーク有りと判別し、満たさない場合に仕切マーク無しと判別する。
【００３１】
本実施例は、第３の実施例と同様に、複数の位置で仕切マークの有無をチェックしているので、仕切帳票を一般帳票と誤認するのを第１の実施例よりも低減できる。
【００３２】
なお、本実施例において、ＯＣＲ１は、辺検出部４２では仕切帳票２０のエッジを検出できなかったが、仕切マーク認識部６により仕切帳票２０の幅Ｗ50をＷ51／Ｌとして算出するとともに、仕切帳票の上辺の位置を仕切マーク２１よりもＹc／Ｍだけ上として算出することにより、帳票のエッジの位置を特定することができる。
【００３３】
そのため、本実施例は、例えばＦＡＸで送られてきたイメージのように帳票のエッジが判別できないイメージに対しても仕切帳票であるのか否かを判別できるとともに、帳票のエッジの位置を特定することもできる。
【００３４】
（第５の実施例）
第５の実施例は、図６に示すように、第１の実施例に対して、仕切マーク判別部６２を追加したものである。図６は本発明に係るＯＣＲの構成を示すブロック図である。本実施例のＯＣＲ６１は、図７に示す処理業務の内容を指定する複数種類の仕切帳票を区別して判別できる。図７は複数種類の仕切帳票の例を示す図である。図７（ａ）〜（ｃ）は、第３の実施例にて示した仕切帳票１６と、仕切帳票１６に対して上側の仕切マーク１７のみ記されている仕切帳票２３と、仕切帳票１６に対して下側の仕切マーク１８のみ記されている仕切帳票２４を示している。
【００３５】
ＯＣＲ６１の帳票を読み取る動作は以下の通りである。
帳票の読み取り時において、ＯＣＲ６１は仕切マーク認識部６によって仕切マークを検出し、検出された仕切マークがどの位置のものであるのかを仕切マーク判別部６２によって判別する。そして、その結果を図８に示す上位アプリケーション９０のＪＯＢ切替部９１に通知する。ＪＯＢ切替部９１は、図９に示すテーブルを用いてＪＯＢ群９２の中から該当のＪＯＢを選択し、そのＪＯＢを実行する。なお、図８は上位アプリケーションの概念を示す図である。また、図９はＪＯＢ切替部に予め記録されたテーブルを示す図である。このテーブルは帳票の種類と業務形態との関係を示している。
【００３６】
なお、本実施例では、処理業務の変更は上位アプリケーション側で行なっているが、以下のようにしてＯＣＲ側で行なわせるようにすることも可能である。すなわち、ＯＣＲ６１は、仕切マーク認識部６が帳票が仕切帳票であるのか一般帳票であるのかと判別するようにし、仕切マーク認識部６が仕切帳票であると判別した場合にどの条件で仕切帳票と判別したのかを示すデータを仕切マーク認識部６から仕切マーク判別部６２に出力する。仕切マーク判別部６２は、図９のテーブルが予め記録されており、このテーブルを用いて該当のＪＯＢを選択し、そのＪＯＢを実行する。
【００３７】
本実施例は、仕切マークの特徴が異なる複数種類の仕切帳票を用いることにより各仕切帳票に対応した処理業務や環境に変更できるので、作業の自動化を行なうことができ、作業効率を向上できる。
【００３８】
（第６の実施例）
第６の実施例は、複数種類の仕切マークが記された仕切帳票を用いて、仕切帳票を挿入する方向によって業務形態を変更することを特徴とする。図１０は仕切帳票の構成を示す図である。この例の場合、片面に４種類の仕切マークが記されている。なお、図１０中、２５は仕切帳票であり、２６〜２９は仕切マークである。また、Ｙａは辺から仕切マークまでの距離であり、Ｗａ〜Ｗｄはそれぞれ仕切マーク２６〜２９の幅である。Ａ〜Ｄはスキャナ部２に対する仕切帳票２５の挿入方向である。ＯＣＲ１は、仕切帳票２５が挿入されるそれぞれ方向により異なる処理を行なうことができる。そのため、図１１に示すように仕切帳票２５の裏面にも仕切マークが記されている場合は、仕切帳票２５の挿入方向が８通りあるので、業務に合わせて仕切帳票２５を回転させるだけで、ＯＣＲ１は最大８種類の業務形態を切替できる。なお、図１１は仕切帳票２５の両面の構成を示す図であり、図１１（ａ）は仕切帳票の表面を示し、図１１（ｂ）は仕切帳票の表面を示している。図１１中、３０〜３３は仕切マークである。
【００３９】
この実施例は例えば以下のようにして用いる。オペレータは、ＯＣＲ１に仕切帳票２５を読み取らせ、その後に図１２に示す一般帳票３４を読み取らせる。ＯＣＲ１は、仕切帳票２５を読み取った時点で、一般帳票の中からどの読取フィールドを読み取るのかを図１３に示すテーブルを用いて判別する。そして、このテーブルに合わせて一般帳票３４から該当の読取フィールドを読み取る。なお、図１２は一般帳票の構成を示す図であり、図１３は仕切マークと読取フィールドの関係を示す図である。図１２中、３４は一般帳票であり、３５は読取フィールドＡ、３６は読取フィールドＢ、３７は読取フィールドＣである。
【００４０】
本実施例は、１枚の仕切帳票で複数種類の仕切帳票を使うのと同等の効果を有する。
【００４１】
（第７の実施例）
第７の実施例は、図６に示すＯＣＲ６１に、第６の実施例で説明した仕切帳票２５を用いて一般帳票３４の読取方向を判別させるようにしたものである。図１４は仕切帳票と一般帳票の組み合せを示す図である。図１４（ａ）〜（ｄ）は、それぞれ、帳票を帳票の上側から装置に挿入した場合、及び右側から装置に挿入した場合、下側から装置に挿入した場合、左側から装置に挿入した場合を示している。この実施例では、仕切帳票２５の４辺には種類の異なる仕切マーク２６〜２９が記されている。
【００４２】
この実施例は例えば以下のようにして用いる。仕切帳票２５には上下左右が定められており、各辺に異なる仕切マーク２６〜２９が記されている。オペレータは、一般帳票３４の読取方向に合わせて仕切帳票２５と一般帳票３４を重ね、スタッカ部２の図示しない集積部に集積する。そして、ＯＣＲ６１に帳票の読取を実行させる。ＯＣＲ６１の仕切帳票処理部５は、仕切マーク認識部６により帳票が仕切帳票であるのか一般帳票であるのかを判別する。このとき、帳票が仕切帳票２５である場合に、仕切マーク判別部６２が、どの仕切マークが仕切マーク２６〜２９であるのかを仕切マークの形状に基づいて判別し、仕切帳票２５の挿入方向を判別する。これにより、ＯＣＲ６１は、仕切マーク２６がある辺を帳票の上側の辺とし、また、仕切マーク２８がある辺を帳票の下側の辺として、それ以降に読み取る一般帳票３４を仕切マーク２６がある辺から仕切マーク２８がある辺に向けて読み取るようにする。
【００４３】
本実施例は、装置の読取方向に沿って帳票を装置にセットする必要がないので、オペレータは短い時間で帳票を装置にセットすることができる。また、帳票をグループ単位で方向を違えて積み上げて装置に読み取らせることができるので、オペレータは帳票の仕分けを簡単に行なうことができる。そのため、オペレータの労力を軽減できる。
【００４４】
（第８の実施例）
第８の実施例は、第７の実施例に対して、複数の仕切帳票を読み取らせてから一般帳票を読み取らせることにより、高度な帳票の読取を実行できるようにしたものである。図１５は複数の仕切帳票と一般帳票の組み合わせを示す図である。この実施例では、図１４（ｃ）に示した仕切帳票２５と一般帳票３４の組み合せに、さらに仕切帳票３８を組み合わせている。
【００４５】
この実施例は例えば以下のようにして用いる。オペレータは、仕切帳票２５と一般帳票３４の組み合せの上に仕切帳票３８を重ね、スタッカ部２の図示しない集積部に集積する。そして、ＯＣＲ６１に帳票の読取を実行させる。ＯＣＲ６１の仕切帳票処理部５は、仕切マーク認識部６により帳票が仕切帳票であるのか一般帳票であるのかを判別する。このとき、帳票が仕切帳票３８である場合に、仕切マーク判別部６２が、仕切マークの形状に基づいて仕切マークが仕切マーク３９であることを判別し、仕切帳票３９によって指定される処理（例えば読取フィールドを特定するなどの処理）に切替える。これにより、ＯＣＲ６１は、それ以降に読み取る一般帳票３４を読取フィールドを特定して読み取るようにする。ＯＣＲ６１は、続けて帳票を読取を実行し、仕切マーク認識部６により帳票が仕切帳票であるのか一般帳票であるのかを判別する。このとき、帳票が仕切帳票２５である場合に、仕切マーク判別部６２が、どの仕切マークが仕切マーク２６〜２９であるのかを仕切マークの形状に基づいて判別し、仕切帳票２５の挿入方向を判別する。これにより、ＯＣＲ６１は、仕切マーク２６がある辺を帳票の上側の辺とし、また、仕切マーク２８がある辺を帳票の下側の辺として、それ以降に読み取る一般帳票３４を仕切マーク２６がある辺から仕切マーク２８がある辺に向けて読み取るようにする。
【００４６】
本実施例は、読取フィールドを特定させたり読取方向を特定させるなどの複数の指定を組み合わせて装置に実行させることができる。そのため、１台の装置で高度な帳票の読取を実行でき、複数の業務を効果的に実行することができる。また、複数の仕切帳票を読み取ってから一般帳票を読み取るので、単独の仕切帳票と一般帳票を読み取る場合よりも仕切帳票と一般帳票を誤読するのを低減できる。
【００４７】
（他の利用形態）
上記の実施例ではＯＣＲに適用した例を説明したが、文字認識処理を行なわないイメージリーダや複写機にも適用可能である。
【００４８】
イメージリーダの場合は、図１の構成から、前処理部７、文字認識部８、後処理部９を除いた構成となる。その動作は、例えば以下のようになる。
【００４９】
すなわち、イメージリーダは、帳票の読み取り時に、仕切帳票処理部５により仕切帳票を検出すると、仕切帳票を検出したことを図示しない上位アプリケーションに通知する。この後、イメージリーダは、上位アプリケーションから処理業務の変更の指示を受け、例えば以下のように処理業務の動作を変更する。例えばイメージリーダは、仕切帳票を検出することによりイメージ画像を記録しているイメージメモリ３のファイルを閉じ、新規ファイルを作成し、それ以後に読み取る一般帳票のイメージ画像を新規ファイルに記録することにより、仕切帳票をセパレータとして用いることができる。または、イメージリーダは、仕切帳票を検出することにより、それ以後に読み取る一般帳票のイメージ画像を回転させてイメージメモリ３のファイルに記録することができる。
【００５０】
複写機の場合は、図１の構成から、前処理部７、文字認識部８、後処理部９を除き、出力部１０を印字部にした構成となる。また図示しない上位アプリケーションは複写機自身の制御部となる。その動作は、例えば以下のようになる。
【００５１】
すなわち、複写機は、帳票の読み取り時に、仕切帳票処理部５により仕切帳票を検出すると、複写機自身の制御部は例えば以下のように処理業務の動作を変更する。例えば複写機は、仕切帳票を検出することにより、複写する枚数を変えたり、複写の濃度を変えることができる。または、複写機は、仕切帳票を検出することにより、それ以後に読み取る一般帳票のイメージ画像を回転させて複写することができる。
【００５２】
【発明の効果】
以上説明した本発明には、次の効果がある。
第１の発明は、簡易に処理業務を変更できる。そのため、オペレータが介在しなければならない作業が少なく、また処理業務を中断しなくてもよいので、処理速度が上昇し、作業コストを抑えることができる。
【００５３】
第２の発明は、ブロックの数を仕切マークの有無の判定条件としているので、仕切帳票を一般帳票と誤認するのを低減できる。また、Ｍ−α＜Ｂ＜Ｍ＋αを満たさない仕切マークが存在していても、仕切マークを見落とさないので、第１の発明よりも仕切マークを見落とす確率を低減できる。
【００５４】
第３の発明と第４の発明は、複数の位置で仕切マークの有無をチェックしているので、仕切帳票を一般帳票と誤認するのを低減できる。
【００５５】
第５の発明は、例えばＦＡＸで送られてきたイメージのように帳票のエッジが判別できないイメージに対しても仕切帳票であるのか否かを判別できるとともに、また帳票のエッジの位置を特定することもできる。
【００５６】
第６の発明は、仕切マークの特徴が異なる複数種類の仕切帳票を用いることにより各仕切帳票に対応した処理業務や環境に変更できるので、作業の自動化を行なうことができ、作業効率を向上できる。
【００５７】
第７の発明は、１枚の仕切帳票で複数種類の仕切帳票を使うのと同等の効果を有する。
【００５８】
第８の発明は、装置の読取方向に沿って帳票を装置にセットする必要がないので、オペレータは短い時間で帳票を装置にセットすることができる。また、帳票をグループ単位で方向を違えて積み上げて装置に読み取らせることができるので、オペレータは帳票の仕分けを簡単に行なうことができる。そのため、オペレータの労力を軽減できる。
【００５９】
第９の発明は、読取フィールドを特定させたり読取方向を特定させるなどの複数の指定を組み合わせて装置に実行させることができる。そのため、１台の装置で高度な帳票の読取を実行でき、複数の業務を効果的に実行することができる。また、複数の仕切帳票を読み取ってから一般帳票を読み取るので、単独の仕切帳票と一般帳票を読み取る場合よりも仕切帳票と一般帳票を誤読するのを低減できる。
【図面の簡単な説明】
【図１】本発明に係るＯＣＲの構成を示すブロック図である。
【図２】帳票のイメージを示す図である。
【図３】帳票のイメージを示す図である。
【図４】帳票のイメージを示す図である。
【図５】帳票のイメージを示す図である。
【図６】本発明に係るＯＣＲの構成を示すブロック図である。
【図７】帳票のイメージを示す図である。
【図８】上位アプリケーションの概念を示す図である。
【図９】ＪＯＢ切替部のテーブルを示す図である。
【図１０】帳票の構成を示す図である。
【図１１】仕切帳票の両面の構成を示す図である。
【図１２】一般帳票の構成を示す図である。
【図１３】仕切マークと読取フィールドの関係を示す図である。
【図１４】仕切帳票と一般帳票の読取方向の組み合せを示す図である。
【図１５】複数の仕切帳票と一般帳票の組み合わせを示す図である。
【符号の説明】
１  ＯＣＲ
２  スキャナ部
３  イメージメモリ
４  辺検出部
５  仕切帳票処理部
６  仕切マーク認識部
７  前処理部
８  文字認識部
９  後処理部
１０  出力部
【図１】
0004348772.tif 000002
【図２】
0004348772.tif 000003
【図３】
0004348772.tif 000004
【図４】
0004348772.tif 000005
【図５】
0004348772.tif 000006
【図６】
0004348772.tif 000007
【図７】
0004348772.tif 000008
【図８】
0004348772.tif 000009
【図９】
0004348772.tif 000010
【図１０】
0004348772.tif 000011
【図１１】
0004348772.tif 000012
【図１２】
0004348772.tif 000013
【図１３】
0004348772.tif 000014
【図１４】
0004348772.tif 000015
【図１５】
0004348772.tif 000016